(57)【要約】【課題】  大型サイズの牛乳壜から牛乳をコップ等に注ぐときにも液ダレが生ずることがなく、また飲み切れなかった牛乳を冷蔵庫等に保管する際に、壜口を容易かつ確実に再シールすることができる牛乳壜用キャップを提供する。【解決手段】  宅配時または販売時に牛乳壜１の口部２に装着されるシール用キャップ１０と、シール用キャップ１０を取り外した牛乳壜１の口部２に消費者により装着される注ぎ口キャップ２０とからなる。注ぎ口キャップ２０は注ぎ口２２の外周上面に牛乳壜１の口部外周と同径の環状壁２６を備え、取り外したシール用キャップ１０のスカート壁１０を密着係合させることにより、再シールが可能である。【選択図】    図３
2005298045.tif 000002
【特許請求の範囲】
【請求項１】
宅配時または販売時に牛乳壜の口部に装着されるシール用キャップと、シール用キャップを取り外した牛乳壜の口部に消費者により装着される注ぎ口キャップとからなり、この注ぎ口キャップは注ぎ口の外周上面に牛乳壜の口部外周と同径の環状壁を備え、取り外したシール用キャップによる再シールを可能としたものであることを特徴とする牛乳壜用キャップ。
【請求項２】
注ぎ口キャップの注ぎ口の上部内径を、牛乳壜の口部内周とほぼ同径としたことを特徴とする請求項１記載の牛乳壜用キャップ。
【発明の詳細な説明】
【技術分野】
【０００１】
本発明は、主として容量の大きな牛乳壜の口部に装着するに適した牛乳壜用キャップに関するものである。
【背景技術】
【０００２】
牛乳壜の口部をシールするために従来は紙栓が用いられていたが、近年においては口部外周に嵌合されるスカート壁と口部内周に密着できる環状シール部とを備えた樹脂製のシール用キャップ（特許文献１）が普及している。シール用キャップは宅配時または販売時に牛乳壜の口部に装着されており、飲用時に取り外される。
【０００３】
通常サイズの２００ｍＬの牛乳壜に関しては、いったん開栓したときには全量を飲んでしまうのが普通である。しかし大型サイズの９００ｍＬの牛乳壜は一度に消費することは稀であり、通常は所定量をコップ等に注いで残りを冷蔵庫に保管し、何回にも分けて消費することになる。このとき、大型サイズの牛乳壜は重いこともあってコップ等に注ぐ際に液ダレが生じ易く、テーブルを汚したり牛乳壜の側面や底面に付着した牛乳が冷蔵庫内部を汚したりすることがあった。
【特許文献１】特開２０００−４３９１１号公報
【発明の開示】
【発明が解決しようとする課題】
【０００４】
本発明は上記した従来の問題点を解決し、大型サイズの牛乳壜から牛乳をコップ等に注ぐときにも液ダレが生ずることがなく、また飲み切れなかった牛乳を冷蔵庫等に保管する際に、壜口を容易かつ確実に再シールすることができる牛乳壜用キャップを提供するためになされたものである。
【課題を解決するための手段】
【０００５】
上記の課題を解決するためになされた本発明の牛乳壜用キャップは、宅配時または販売時に牛乳壜の口部に装着されるシール用キャップと、シール用キャップを取り外した牛乳壜の口部に消費者により装着される注ぎ口キャップとからなり、この注ぎ口キャップは注ぎ口の外周上面に牛乳壜の口部外周と同径の環状壁を備え、取り外したシール用キャップによる再シールを可能としたことを特徴とするものである。なお、注ぎ口キャップの注ぎ口の上部内径を、牛乳壜の口部内周とほぼ同径とすることが好ましい。
【発明の効果】
【０００６】
本発明の牛乳壜用キャップのうち、注ぎ口キャップは宅配先に予め配布しておくか、店頭での販売時にはおまけとして牛乳壜に添付しておくもので、消費者は牛乳壜の口部に装着されているシール用キャップを口部から取り外したうえ、注ぎ口キャップを装着して牛乳をコップ等に注ぐ。このため大型の牛乳壜であっても液ダレを招くことがない。また注ぎ口キャップを壜口に装着したまま取り外したシール用キャップを被せることにより口部の再シールが可能であるから、再シールの際に注ぎ口キャップを取り外す必要がなく、冷蔵庫に保管するに便利である。
【発明を実施するための最良の形態】
【０００７】
以下に本発明の好ましい実施形態を示す。
図１は宅配時または販売時の状態を示す部分断面図であり、１は内容量が９００ｍＬの大型サイズの牛乳壜、２はその口部である。１０は牛乳壜１の口部２に装着されている軟質樹脂製のシール用キャップであり、天板１１の外周部に口部２の外周面に密着嵌合されるスカート壁１２を備えるとともに、天板１１の裏面に口部２の内周面に密着される環状シール部１３を備えている。なおスカート壁１２の先端部には係合突条１４が設けられ、口部２の段部に弾性的に係合できるようになっている。なお、スカート壁１２の一部にはタブ１５を突設しておくことが好ましい。シール用キャップ１０はタブ１５を除き回転対称形である。
【０００８】
消費者は図１に示すシール用キャップ１０を牛乳壜１の口部２から取り外したうえ、図２に示される注ぎ口キャップ２０を口部２に装着する。前記したように、注ぎ口キャップ２０は宅配先に予め配布しておくか、店頭での販売時にはおまけとして牛乳壜に添付しておくものである。この注ぎ口キャップ２０は、下部外周に口部２の外周面に密着嵌合される外周スカート壁２１を備え、また中央部には上向きに延びる注ぎ口２２を備えている。その注ぎ口２２の内径の上部内径は、牛乳壜の口部周とほぼ同径としておくものとする。この注ぎ口キャップ２０も回転対称形であり、その全体が軟質樹脂により一体成形されている。
【０００９】
注ぎ口２２の下端部は口部２の内周面に密着できる環状壁２３となっており、図２に示すように牛乳壜１の口部２に装着することができる。なお外周スカート壁２１の下端部は外向きリブ２４が形成されている。この外向きリブ２４は、注ぎ口キャップ２０を牛乳壜１の口部２に向かって押さえるために有効である。またこの外向きリブ２４は、全量を飲み終わった後に注ぎ口キャップ２０を牛乳壜１の口部２から取り外す際、手を掛けることができるので、キャップ取り外しにも有効である。外周スカート壁２１の内周面には、口部２の段部に弾性的に係合される係合突条２５が突設されている。
【００１０】
一方、注ぎ口キャップ２０の注ぎ口２２の外周上面には、外周が牛乳壜１の口部２の外周と同径となった環状壁２６が突設されている。環状壁２６の外周にも係合突条２７が突設されている。環状壁２６の高さは注ぎ口２２の高さよりも低くなっている。このように牛乳壜１の口部２に注ぎ口キャップ２０を装着すれば、図４のように大型サイズの牛乳壜１から牛乳をコップ等に注ぐ際にも液ダレが生じることがなく、テーブル等を汚したり、冷蔵庫の内部を汚したりすることもない。
【００１１】
前記したように、大型サイズの牛乳壜１では一度に消費できない分を冷蔵庫に保管するのが普通であり、壜口を再シールすることが望ましい。このために注ぎ口キャップ２０を取り外すことは面倒であるので、本発明では図３のように最初に取り外したシール用キャップ１０を注ぎ口キャップ２０の上から装着できるようになっている。
【００１２】
前記したように注ぎ口キャップ２０の注ぎ口２２の外周上面に牛乳壜１の口部２の外周と同径の環状壁２６が突設されているため、シール用キャップ１０のスカート壁１２がこの環状壁２６に密着し、スカート壁１２の係合突条１４が環状壁２６の外周の係合突条２７に係合する。また、注ぎ口２２の上部内径を牛乳壜の口部内周とほぼ同径としてあるため、シール用キャップ１０の環状シール部１３が注ぎ口２２の上端部内面に密着する。この結果、注ぎ口キャップ２０の上面はシール用キャップ１０により確実に再シールされ、冷蔵庫に保管したときにも匂いが移ることがない。
【００１３】
なお、保管中の牛乳壜１から再度牛乳を注ぐときには、注ぎ口キャップ２０からシール用キャップ１０を取り外せばよいが、このとき注ぎ口キャップ２０の外周スカート壁２１の下端部に形成された外向きリブ２４に指先をかければ、注ぎ口キャップ２０を壜口に固定したままでシール用キャップ１０のみを容易に取り外すことができる。
【００１４】
以上に説明したように、本発明の牛乳壜用キャップを用いれば、大型サイズの牛乳壜１から牛乳をコップ等に注ぐときにも液ダレが生ずることがなく、また飲み切れなかった牛乳を冷蔵庫等に保管する際に、容易かつ確実に再シールすることができる。
【図面の簡単な説明】
【００１５】
【図１】シール用キャップを壜口に装着した状態を示す部分断面図である。
【図２】注ぎ口キャップを壜口に装着した状態を示す部分断面図である。
【図３】シール用キャップを注ぎ口キャップ上に装着した状態を示す部分断面図である。
【図４】使用状態を示す斜視図である。
【符号の説明】
【００１６】
１  牛乳壜
２  口部
１０  シール用キャップ
１１  天板
１２  スカート壁
１３  環状シール部
１４  係合突条
１５  タブ
２０  注ぎ口キャップ
２１  外周スカート壁
２２  注ぎ口
２３  環状壁
２４  外向きリブ
２５  係合突条
２６  環状壁
２７  係合突条
【図１】
2005298045.tif 000003
【図２】
2005298045.tif 000004
【図３】
2005298045.tif 000005
【図４】
2005298045.tif 000006